(57)【特許請求の範囲】
【請求項１】
刃受けばねを有するコンセント本体と、
外部の電源に接続される外部電線を介して行われる該コンセント本体への給電をオンオフするスイッチと、
前面に、複数対の該刃受けばねに対応する栓刃挿入孔を有し、上記コンセント本体及びスイッチが納装されるケースとを備え、
上記ケースの長手方向両端の内側に位置する該両端側の各一対の栓刃挿入孔に隣接して、該ケースの長手方向両端側に、電気機器に直流を供給するＡＣアダプターの栓刃が設けられる側の接続面を載置するためのアダプター載置面をそれぞれ設けたことを特徴とするスイッチ付きテーブルタップ。
【請求項２】
上記スイッチの操作部をケースの側面から露出させて成ることを特徴とする請求項１記載のスイッチ付きテーブルタップ。
【請求項３】
上記コンセント本体は、該刃受ばねと、各刃受ばねを互いに電気的に接続する導電体と、導電体を外部電線に電気的に接続する給電端子片とが一体化されたコンセントコアブロックと、コンセントコアブロックを納装する内ケースとで構成されていることを特徴する請求項１記載のスイッチ付きテーブルタップ。
【請求項４】
上記ケースは熱可塑性合成樹脂によって形成されていることを特徴とする請求項１記載のスイッチ付きテーブルタップ。
【請求項５】
上記ケースの背面側に金属製の机やキャビネットなどに磁着されるマグネットを配設したことを特徴とする請求項１記載のスイッチ付きテーブルタップ。
【請求項６】
上記外部電線とコンセント本体との間にノイズを減衰させるノイズフィルタ回路を設けたことを特徴とする請求項１記載のスイッチ付きテーブルタップ。
【発明の詳細な説明】
【０００１】
【発明の属する技術分野】
本発明は、スイッチ付きテーブルタップに関するものである。
【０００２】
【従来の技術】
従来より、刃受けばねを有するコンセント本体をケースに内装したテーブルタップが提供されている。このようなテーブルタップは、例えばパーソナルコンピューター（以下パソコンと略す）と、プリンタやモデム等の周辺機器の電源供給用に使用されている。
【０００３】
【発明が解決しようとする課題】
しかしながら、一般家庭内へのパソコンの普及に伴い、パソコン使用時に、パソコン本体だけではなく上述のようにプリンタやモデム等のパソコン周辺機器を接続するユーザーが増えているにもかかわらず、各機器の電源のオン・オフは、各機器の個々に設けられた電源スイッチをそれぞれ別々に操作しなければならず、使い勝手がよくないという問題があった。
【０００４】
本発明は、上記問題に鑑みてなされたもので、コンセント本体に接続される電気機器の電源をテーブルタップ側でオン・オフすることができて、使い勝手のよいスイッチ付きテーブルタップを提供しようとするものである。
【０００５】
【課題を解決するための手段】
上記課題を解決するために、請求項１の発明は、刃受けばねを有するコンセント本体と、外部の電源に接続される外部電線を介して行われる該コンセント本体への給電をオンオフするスイッチと、前面に、複数対の該刃受けばねに対応する栓刃挿入孔を有し、上記コンセント本体及びスイッチが納装されるケースとを備え、前記ケースの長手方向両端の内側に位置する該両端側の各一対の栓刃挿入孔に隣接して、該ケースの長手方向両端側に、電気機器に直流を供給するＡＣアダプターの栓刃が設けられる側の接続面を載置するためのアダプター載置面をそれぞれ設けたことを特徴としており、コンセント本体に接続される電気機器の電源をテーブルタップ側でオン・オフすることができて、使い勝手のよいスイッチ付きテーブルタップを提供することができ、また、ＡＣアダプターの栓刃を栓刃挿入孔から刃受けばねに差し込むと共に、アダプター載置面にアダプターを載置することによって、ＡＣアダプターをテーブルタップに安定して接続できるとともに、上記ＡＣアダプターをケースの長手方向両端でそれぞれテーブルタップに接続できる。
【０００６】
請求項２の発明は、請求項１の発明において、上記スイッチの操作部をケースの側面から露出させて成ることを特徴としており、スイッチ本体の操作が容易となる。
請求項３の発明は、請求項１の発明において、上記コンセント本体が、該刃受ばねと、各刃受ばねを互いに電気的に接続する導電体と、導電体を外部電線に電気的に接続する給電端子片とが一体化されたコンセントコアブロックと、コンセントコアブロックを納装する内ケースとで構成されていることを特徴とし、この場合刃受けばねと導電体と給電端子とを内ケース内に容易に組み付け可能となり、しかも外部電線とコンセントコアブロックとを容易に接続でき、コンセントの組立て性が向上する。
【０００７】
請求項４の発明は、請求項１の発明において、前記ケースは熱可塑性合成樹脂によって形成されていることを特徴としており、これにより耐衝撃性が向上する。
請求項５の発明は、請求項１の発明において、前記ケースの背面側に金属製の机やキャビネットなどに磁着されるマグネットを配設したことを特徴としており、マグネットを金属面に磁着させることで、スイッチ付きテーブルタップを床以外の場所に容易に設置でき、テーブルタップが床に転がって邪魔になることがなくなる。
【０００８】
請求項６の発明は、請求項１の発明において、上記外部電線とコンセント本体との間にノイズを減衰させるノイズフィルタ回路を設けたことを特徴としており、外部電源からノイズがコンセント本体に接続された電気機器に伝搬されるのを抑えることができる。
【００１０】
【発明の実施の形態】
以下、図１〜図１４を参照して本発明の一実施形態を詳細に説明する。
図１に示すように本実施形態のスイッチ付きテーブルタップ（以下、「テーブルタップ」と略す。）１は、略箱形に形成されたボディ３ａとカバー３ｂで構成されるケース３内にコンセント本体２とコンセント本体２への給電をオン・オフするスイッチＳＷが納装される。
【００１１】
コンセント本体２は、４個口コンセントコアブロック１３Ａと、４個口コンセントコアブロック１３Ａが納装される内ケース１４とで構成されている。
先ず、内ケース１４は、成形品から成る内部ボディ１４ａと内部カバー１４ｂとで構成されている。内部カバー１４ｂには、４個口コンセントコアブロック１３Ａの４個の刃受ばね７に対応する位置に４個のだるま穴状の栓刃受け口３１が一列に形成されている。ところで、パソコン等の電気機器の電源プラグ等の栓刃４ａを刃受ばね７に対して抜き差しする際にアークが発生することがあり、このため栓刃４ａと刃受ばね７との接触部で発熱することがあるから、刃受ばね７を備えたコンセントコアブロック１３を納装する内ケース１４には特に耐熱性が要求される。一方、テーブルタップ１は移動自在に使用されるから、落下させたり他の物品に衝突したりすることがあり、内ケース１４を覆うケース３には耐衝撃性が要求される。ここで、耐熱性と耐衝撃性とを同一材料で満足させるのは困難であるために、本実施形態では、耐熱性を有する熱硬化性合成樹脂にて内ケース１４を形成すると共に、耐衝撃性を有する熱可塑性合成樹脂から成るケース３で内ケース１４を覆うようにしている。もちろん、内ケース１４とケース３の両方を熱塑性樹脂で成形してもよく、また両方を熱硬化性樹脂で成形してもよいものである。
【００１２】
内ケース１４の組立ては、上記内部ボディ１４ａと内部カバー１４ｂとを鋲１５によりかしめ接続することにより行なわれる。内部ボディ１４ａ及び内部カバー１４ｂには、図４に示すように、２つのかしめ接続孔３２，３３が穿孔されている。内部ボディ１４ａのかしめ接続孔３２は内部ボディ１４ａの厚み方向に立設されたボスから成り、内部ボディ１４ａの裏面からボス内に鋲１５を挿入して、鋲１５の先端を内部カバー１４ｂのかしめ接続孔３３から突出させ、鋲１５の両端部をかしめることによって内部ボディ１４ａと内部カバー１４ｂとを強固に固定でき、ねじ固定の場合と比較して組立てが簡単になり、また鋲１５のかしめ部分の外観が悪くても、内ケース１４はケース３内部に収納されるので外部からは見えず、ケース３の外観が損なわれないものである。
【００１３】
上記内ケース１４に納装される４個口コンセントコアブロック１３は、４個の刃受ばね７と、各刃受ばね７を電気的に接続する導電体８と、導電体８を外部電線９に電気的に接続するための給電端子片１１とを一体化して構成されている。本実施形態では、導電体８は図４に示すような２本の導電バー３４から成り、一方の導電バー３４には４個の刃受ばね半体７ａが一体形成されていると共に、導電バー３４の一端部に給電端子片１１、他端部に接続端子片１２が一体形成されており、また他方の導電バー３４には４個の刃受ばね半体７ａが一体形成されていると共に、導電バー３４の一端部に給電端子片１１、他端部に接続端子片１２が一体形成されている。そして、この２本の導電バー３４を組み合わせることで、４個の刃受ばね７が一列に設けられた４個口コンセントコアブロック１３Ａが構成され、これを前記内部ボディ１４ａに設けたコンセントコアブロック収納部３７に収納し、上から内部カバー１４ｂを組み付けることによって４個口のコンセント本体２が構成される。また図３中の３８は内部ボディ１４ａ内において両導電バー３４を互いに隔絶する仕切壁である。
【００１４】
上記４個口コンセントコアブロック１３Ａの一対の給電端子片１１には、かしめ圧着によって外部電線９が接続されるかしめ圧着部１０が一体に設けられている。かしめ圧着部１０は金属材から成り、その内部に外部電線９を挿入してかしめることによって、外部電線９と給電端子片１１との電気的及び機械的接続を容易にしかも確実に行なうことができ、コンセントコアブロック１３Ａの組立て作業性が良好となる。
【００１５】
一方、ケース３は、熱可塑性合成樹脂によって略箱形に形成されたボディ３ａとカバー３ｂとを組立ねじを用いて組み立てて構成される。そして、カバー３ｂの前面には、コンセント本体２の刃受ばね７に対応し且つ各栓刃受け口３１を露出する４個の栓刃挿入孔６が長手方向に沿って列設されている。
ケース３の長手方向一端部からは外部電線９が導出されている。ここで、ケース３内には、外部電線９の給電端子片１１との接続部分にかかる張力を除去するための張力除去手段２０が設けられている。張力除去手段２０として、図５に示すように、ケース３内に引き込まれる外部電線９の外周部分に平板状のブッシング４０を取付け、このブッシング４０をボディ３ａの端壁３ｃとこの端壁３ｃに隙間をあけて立設された壁部３ｄとの間に収納保持すると共に、ボディ３ａの壁部３ｄと内ケース１４の給電端子片１１との間に、高さの異なる第１の電線押さえ部４１と第２の電線押さえ部４２とを外部電線９ａ，９ｂの通線方向に沿って並設し、ボディ３ａとカバー３ｂとを組み立てた時に第１及び第２の電線押さえ部４２とカバー３ｂの内面との間で外部電線９ａ，９ｂを挟み込むようにしてある。ここで第１の電線押さえ部４１よりも第２の電線押さえ部４２の高さを高くしてあり、これにより、かしめ圧着部１０に近づくにつれて外部電線９ａ，９ｂを強く押さえることができ、外部電線９の張力除去効果を高めることができる。
【００１６】
一方、ケース３の長手方向他端の側面には、スイッチＳＷの操作部４５を露出する露出孔５４が設けてあり、この露出孔５４から操作部４５を露出するようにしてスイッチＳＷがケース３内に納装される。このスイッチＳＷは埋込型の配線器具用に規格化されている１個モジュール寸法の大角形連用配線器具であって、露出孔５４に連通してボディ３ａの長手方向端部に設けたスイッチ収納凹所５５に収納される。ここで、このスイッチ収納凹所５５のケース３短幅方向に対向する側面に一対のリブ５６ａ，５６ｂが突設され、カバー３ｂ側にも同様に一対のリブ（図示せず）が突設されており、このリブ５６ａ，５６ｂの間に形成される係止溝５７に、スイッチＳＷが具備する係止爪４６を挿入係止することでスイッチＳＷがボディ３ａ並びにカバー３ｂに固定される。
【００１７】
また、このスイッチＳＷの端子部には外部電線９の片方の電線９ｂの先端に取着された棒型圧着端子９ｃが接続されるとともに、コンセント本体２の片方の接続端子片１２がリード線５０により接続される。而して、図２の回路図に示すように、外部電線９とコンセント本体２との間にスイッチＳＷが挿入されることとなり、スイッチＳＷをオン・オフすることで外部電源からコンセント本体２への給電を一括してオン・オフすることができ、使い勝手の向上が図れる。また、本実施形態では市販されているスイッチＳＷを使用しているため、専用のスイッチを設ける場合に比較してコストダウンが図れるという利点がある。
【００１８】
ところで、スイッチＳＷとコンセント本体２との間には、コンデンサＣ１  、抵抗Ｒ１  並びにサージ吸収素子Ｚ１  から成るノイズフィルタ回路Ｆが接続されており、外部電源から伝搬してくるノイズを減衰させてコンセント本体２に接続される電気機器へのノイズの影響を抑えるようにしてある。また、ノイズフィルタ回路Ｆとコンセント本体２の間に、ネオン管から成りコンセント本体２への通電状態（スイッチＳＷのオン・オフ状態）を表示する通電表示ランプＬａと限流用の抵抗Ｒ２  の直列回路が並列接続されている。
【００１９】
上記ノイズフィルタ回路Ｆを構成する回路部品並びに通電表示ランプＬａ及び抵抗Ｒ２  は回路基板３０に実装されてケース３内に納装される。回路基板３０には一対のリード線５１が接続されており、各リード線５１の他端がコンセント本体２の接続端子片１２にそれぞれ接続される。なお、カバー３ｂには通電表示ランプＬａと対向する位置に透光孔５２が設けられ、この透光孔５２に透光性を有するランプカバー５３が嵌着され、透光孔５２並びにランプカバー５３を通して通電表示ランプＬａの点灯、消灯が確認できるようになっている。
【００２０】
ところで、ケース３（カバー３ｂ）前面の長手方向両端に位置する２個の栓刃挿入孔６にそれぞれ隣接して、ケース３の長手方向に延びた平坦なアダプター載置面５がそれぞれ形成されている。
アダプター載置面５は、ＡＣアダプター４の栓刃４ａが設けられる側の接続面４ｃと略同じ大きさを有している。ＡＣアダプター４は、例えばパソコンなどのＯＡ機器に直流を供給するために用いられ、図１３に示すように、アダプター本体４ｂの接続面４ｃに一対の栓刃４ａが突設されていると共に、アダプター本体４ｂの側面から電源コード４ｄが出ている。このＡＣアダプター４の接続面４ｃを上記アダプター載置面５に載置した状態でＡＣアダプター４の栓刃４ａを１つの栓刃挿入孔６から刃受ばね７に差込んでアダプター本体４ｂを回動させることにより、ＡＣアダプター４をコンセント本体２に機械的及び電気的に接続できるようになっている。
【００２１】
而して、ＡＣアダプター４をテーブルタップ１に接続するにあたっては、図１３に示すように、ＡＣアダプター４の接続面４ｃを平坦なアダプター載置面５に載置しながら、ＡＣアダプター４の栓刃４ａを栓刃挿入孔６から刃受ばね７に差込み接続することによって、ＡＣアダプター４がテーブルタップ１の外側にはみ出すことがなく、安定して接続でき、これによりＡＣアダプター４がテーブルタップ１から外れる恐れがなくなり、電源が不用意に切れてパソコン等への入力中のデーターが消去されてしまうといった問題を解消できるようになる。しかも、アダプター載置面５はＡＣアダプター４の接続面４ｃと同じ大きさを有しているので、ＡＣアダプター４はアダプター載置面５内に納まって複数の刃挿入孔６がＡＣアダプター４で塞がれてしまうことがなくなり、この結果、ＡＣアダプター４をテーブルタップ１に安定して支持できる構造でありながら、ＡＣアダプター４と一緒にプラグ等を接続することができる。なお、本実施形態では長手方向両端の２個の栓刃挿入孔６に隣接してアダプター載置面５を設けているので、テーブルタップ１に２個のＡＣアダプター４を同時に接続することができて非常に使い勝手が良いものである。
【００２２】
また上記外部ボディ３ａの背面側には、図１１及び図１２に示すように、例えば金属製の机やキャビネットなどに磁着されるマグネット２１を収納するマグネット収納凹所２２が設けられている。本実施形態のマグネット２１は、断面略Ｕ字状の外周枠２１ｂに永久磁石２１ａを固定して構成されており、このマグネット２１を収納するマグネット収納凹所２２はボディ３ａ背面の長手方向の両端部に夫々設けられている。また、マグネット２１の外周枠２１ｂの一側端に係止爪２３ａが突設されると共に、マグネット収納凹所２２内の一壁面がわに上記係止爪２３ａが係合可能なフック２３ｂが設けらており、これら係止爪２３ａとフック２３ｂとで、マグネット収納凹所２２内にマグネット２１を係止するためのマグネット係止手段２３が構成されている。つまり、マグネット収納凹所２２内にマグネット２１を押し込むと、フック２３ｂにマグネット２１の係止爪２３ａが引っ掛かり、抜け止めされることによってマグネット２１をワンタッチで係止でき、このマグネット２１を例えば金属製の机やキャビネット等の金属面に磁着させることで、テーブルタップ１を床以外の場所に容易に設置でき、テーブルタップ１が床に転がって邪魔にならないようにできるものである。
【００２３】
ここで、本実施形態のテーブルタップ１を机やキャビネットの側面（略垂直な面）に設置した場合、スイッチＳＷの操作部４５がケース３の長手方向一端側の側面から露出しているためにスイッチＳＷの操作が非常にし易いという利点がある。
なお、本実施形態では、かしめ接続により内部ボディ１４ａと内部カバー１４ｂとを組み付けたが、これに限定されるものではなく、例えば図１４に示すように、内部ボディ１４ａに嵌合部１８を設け、内部カバー１４ｂに該嵌合部１８に引っ掛け係止される嵌合爪１９を設けるようにしてもよい。この場合、内部カバー１４ｂを内部ボディ１４ａに押し付けて嵌合爪１９を嵌合部１８に嵌合させるだけで、内部カバー１４ｂを内部ボディ１４ａにワンタッチでしかも確実に組み付けることができる。しかも組立ネジを用いてネジ締めする場合のように内部ボディ１４ａと内部カバー１４ｂとの間で細かい位置合わせも不要になるので、製作が容易であり、設備面、コスト面で有利になると共に、内部ボディ１４ａ及び内部カバー１４ｂに夫々ネジ孔を開口させる必要がないので、ネジ孔を開口させることによる内ケース１４全体の強度低下を防止でき、落下や衝突等に十分に対処でき、耐衝撃性に優れた内ケース１４を得ることができる。
【００２４】
【発明の効果】
請求項１の発明は、刃受けばねを有するコンセント本体と、外部の電源に接続される外部電線を介して行われる該コンセント本体への給電をオンオフするスイッチと、前面に、複数対の該刃受けばねに対応する栓刃挿入孔を有し、上記コンセント本体及びスイッチが納装されるケースとを備え、上記ケースの長手方向両端の内側に位置する該両端側の各一対の栓刃挿入孔に隣接して、該ケースの長手方向両端側に、電気機器に直流を供給するＡＣアダプターの栓刃が設けられる側の接続面を載置するためのアダプター載置面をそれぞれ設けているので、コンセント本体に接続される電気機器の電源をテーブルタップ側でオン・オフすることができて、使い勝手のよいスイッチ付きテーブルタップを提供することができ、また、ＡＣアダプターの栓刃を栓刃挿入孔から刃受けばねに差し込むと共に、アダプター載置面にアダプターを載置することによって、ＡＣアダプターをテーブルタップに安定して接続できるとともに、上記ＡＣアダプターをケースの長手方向両端でそれぞれテーブルタップに接続できるという効果がある。
【００２５】
請求項２の発明は、上記スイッチの操作部をケースの側面から露出させて成るので、スイッチ本体の操作が容易となるという効果がある。
請求項３の発明は、上記コンセント本体が、該刃受ばねと、各刃受ばねを互いに電気的に接続する導電体と、導電体を外部電線に電気的に接続する給電端子片とが一体化されたコンセントコアブロックと、コンセントコアブロックを納装する内ケースとで構成されているので、この場合刃受けばねと導電体と給電端子とを内ケース内に容易に組み付け可能となり、しかも外部電線とコンセントコアブロックとを容易に接続でき、コンセントの組立て性が向上するという効果がある。
【００２６】
請求項４の発明は、上記ケースが熱可塑性合成樹脂によって形成されているので、これにより耐衝撃性が向上するという効果がある。
請求項５の発明は、上記ケースの背面側に金属製の机やキャビネットなどに磁着されるマグネットを配設したので、マグネットを金属面に磁着させることで、スイッチ付きテーブルタップを床以外の場所に容易に設置でき、テーブルタップが床に転がって邪魔になることがなくなるという効果がある。
【００２８】
請求項６の発明は、上記外部電線とコンセント本体との間にノイズを減衰させるノイズフィルタ回路を設けたので、外部電源からノイズがコンセント本体に接続された電気機器に伝搬されるのを抑えることができるという効果がある。
【図面の簡単な説明】
【図１】実施形態を示す分解斜視図である。
【図２】同上の回路構成図である。
【図３】同上の４個口コンセントコアブロックの分解斜視図である。
【図４】同上の４個口コンセントコアブロックの組立状態を説明する分解斜視図である。
【図５】同上のカバーを外した状態の正面図である。
【図６】同上の正面図である。
【図７】同上の側面図である。
【図８】同上の背面図である。
【図９】同上の一部破断した側面図である。
【図１０】同上の斜視図である。
【図１１】同上のマグネットの取付状態を説明する分解斜視図である。
【図１２】同上のケースのマグネット収納凹所を説明する断面図である。
【図１３】（ａ）は同上のＡＣアダプターの斜視図、（ｂ）はＡＣアダプターの取付状態の説明図である。
【図１４】同上の４個口コンセントコアブロックの組立状態の他の例を説明する分解斜視図である。
【符号の説明】
１  スイッチ付きテーブルタップ
２  コンセント本体
３  ケース
５  アダプター載置面
６  栓刃挿入孔
７  刃受ばね
ＳＷ  スイッチ
【図１】
0003562292.tif 000002
【図２】
0003562292.tif 000003
【図３】
0003562292.tif 000004
【図４】
0003562292.tif 000005
【図５】
0003562292.tif 000006
【図６】
0003562292.tif 000007
【図７】
0003562292.tif 000008
【図８】
0003562292.tif 000009
【図９】
0003562292.tif 000010
【図１０】
0003562292.tif 000011
【図１１】
0003562292.tif 000012
【図１２】
0003562292.tif 000013
【図１３】
0003562292.tif 000014
【図１４】
0003562292.tif 000015